(57)【要約】【課題】外付けの論理回路を不要とし、端末の小型化を可能とする通信端末の制御回路及び制御方法を提供する。【解決手段】本発明の制御回路は、複数の通信システムに対応し、且つ複数の周波数帯域に適応する通信端末の制御回路であって、少なくとも、通信システムを示す論理信号の入力手段と、通信端末の操作状態を示す論理信号の入力手段と、使用周波数帯域を示す論理信号の入力手段と、前記通信システムを示す論理信号、前記通信端末の操作状態を示す論理信号及び前記使用周波数帯域を示す論理信号を考慮して記憶された論理値を出力する出力手段とを備える論理的記憶手段を有することを特徴とする。【選択図】図１
2010114859.tif 000002
【特許請求の範囲】
【請求項１】
複数の通信システムに対応し、且つ複数の周波数帯域に適応する通信端末の制御回路であって、少なくとも、通信システムを示す論理信号の入力手段と、使用周波数帯域を示す論理信号の入力手段と、通信端末の操作状態を示す論理信号の入力手段と、前記通信システムを示す論理信号、前記使用周波数帯域を示す論理信号及び前記通信端末の操作状態を示す論理信号を考慮して記憶された論理値を出力する出力手段とを備える論理的記憶手段を有することを特徴とする通信端末の制御回路。
【請求項２】
前記論理的記憶手段には、前記通信システムを示す論理信号、前記使用周波数帯域を示す論理信号及び前記通信端末の操作状態を示す論理信号を考慮した論理値を記憶内容として書き込むための入力手段を有し、前記記憶内容の書き換えが可能であることを特徴とする請求項１に記載の通信端末の制御回路。
【請求項３】
前記論理的記憶手段は、前記通信システムを示す論理信号、前記通信端末の操作状態を示す論理信号及び前記使用周波数帯域を示す論理信号の組み合わせを示す入力論理値と、該入力論理値に対応して前記出力手段が出力する出力論理値とを記憶したレジスタテーブルを備えることを特徴とする請求項１又は２記載の通信端末の制御回路。
【請求項４】
前記レジスタテーブルは、前記入力論理値に対応する所定の論理値を記憶した論理発生テーブルと、該所定の論理値に対応する前記出力論理値を記憶した変換テーブルとを備えることを特徴とする請求項３記載の通信端末の制御回路。
【請求項５】
前記通信システムを示す論理信号は、ＷＣＤＭＡ（Wideband Code Division Multiple Access）、ＣＤＭＡ（Code Division Multiple Access）２０００、ＧＳＭ（Global System for Mobile Communications）、ＬＴＥ（Long Term Evolution）の少なくとも何れか２つの通信システムを示す論理信号であることを特徴とする請求項１から４の何れかに記載の通信端末の制御回路。
【請求項６】
通信端末の操作状態を示す論理信号は、通信端末の折り畳みの開閉状態を示す論理信号であることを特徴とする請求項１から４の何れかに記載の通信端末の制御回路。
【請求項７】
通信端末の操作状態を示す論理信号は、通信端末のスライド状態を示す論理信号であることを特徴とする請求項１から４の何れかに記載の通信端末の制御回路。
【請求項８】
通信端末の操作状態を示す論理信号は、ＴＶの視聴の有無を示す論理信号であることを特徴とする請求項１から４の何れかに記載の通信端末の制御回路。
【請求項９】
前記出力手段が出力する出力論理信号をアンテナスイッチの切り替えに用いることを特徴とする請求項１から８の何れかに記載の通信端末の制御回路。
【請求項１０】
前記出力手段が出力する出力論理信号をアンテナの整合回路の切り替えに用いることを特徴とする請求項１から９の何れかに記載の通信端末の制御回路。
【請求項１１】
前記出力手段が出力する出力論理信号を隣接する他の無線システムに対する保護回路の制御に用いることを特徴とする請求項１から９の何れかに記載の通信端末の制御回路。
【請求項１２】
前記出力手段が出力する出力論理信号をノイズを除去するフィルタの設定の制御に用いることを特徴とする請求項１から１１の何れかに記載の通信端末の制御回路。
【請求項１３】
前記出力手段が出力する出力論理信号はシリアル信号であることを特徴とする請求項１から１２の何れかに記載の通信端末の制御回路。
【請求項１４】
前記論理値を出力する複数の出力手段を備えることを特徴とする請求項１から１３の何れかに記載の通信端末の制御回路。
【請求項１５】
通信端末は携帯電話端末であり、高周波集積回路内に構成されたことを特徴とする請求項１から１４の何れかに記載の通信端末の制御回路。
【請求項１６】
複数の通信システムに対応し、且つ複数の周波数帯域に適応する通信端末の制御方法であって、少なくとも、通信システムを示す論理信号と、使用周波数帯域を示す論理信号と、通信端末の操作状態を示す論理信号と、を入力し、前記通信システムを示す論理信号、前記使用周波数帯域を示す論理信号及び前記通信端末の操作状態を示す論理信号を考慮した論理値が記憶された論理的記憶手段を参照して、前記論理値を制御信号として出力することを特徴とする通信端末の制御方法。
【請求項１７】
前記通信システムを示す論理信号、前記使用周波数帯域を示す論理信号及び前記通信端末の操作状態を示す論理信号を考慮した論理値の記憶内容は、前記論理的記憶手段の入力手段から予め書き込むことを特徴とする請求項１６に記載の通信端末の制御方法。
【請求項１８】
前記論理的記憶手段は、前記通信システムを示す論理信号、前記通信端末の操作状態を示す論理信号及び前記使用周波数帯域を示す論理信号の組み合わせを示す入力論理値と、該入力論理値に対応して前記出力手段が出力する出力論理値とを記憶したレジスタテーブルを備えることを特徴とする請求項１６又は１７記載の通信端末の制御方法。
【請求項１９】
前記レジスタテーブルは、前記入力論理値に対応する所定の論理値を記憶した論理発生テーブルと、該所定の論理値に対応する前記出力論理値を記憶した変換テーブルとを備えることを特徴とする請求項１８記載の通信端末の制御方法。
【請求項２０】
前記通信システムを示す論理信号は、ＷＣＤＭＡ（Wideband Code Division Multiple Access）、ＣＤＭＡ（Code Division Multiple Access）２０００、ＧＳＭ（Global System for Mobile Communications）、ＬＴＥ（Long Term Evolution）の少なくとも何れか２つの通信システムを示す論理信号であることを特徴とする請求項１６から１９の何れかに記載の通信端末の制御方法。
【請求項２１】
通信端末の操作状態を示す論理信号は、通信端末の折り畳みの開閉状態を示す論理信号であることを特徴とする請求項１６から１９の何れかに記載の通信端末の制御方法。
【請求項２２】
通信端末の操作状態を示す論理信号は、通信端末のスライド状態を示す論理信号であることを特徴とする請求項１６から１９の何れかに記載の通信端末の制御方法。
【請求項２３】
通信端末の操作状態を示す論理信号は、ＴＶの視聴の有無を示す論理信号であることを特徴とする請求項１６から１９の何れかに記載の通信端末の制御方法。
【請求項２４】
前記出力手段が出力する出力論理信号をアンテナスイッチの切り替えに用いることを特徴とする請求項１６から２３の何れかに記載の通信端末の制御方法。
【請求項２５】
前記出力手段が出力する出力論理信号をアンテナの整合回路の切り替えに用いることを特徴とする請求項１６から２４の何れかに記載の通信端末の制御方法。
【請求項２６】
前記出力手段が出力する出力論理信号を隣接する他の無線システムに対する保護回路の制御に用いることを特徴とする請求項１６から２４の何れかに記載の通信端末の制御方法。
【請求項２７】
前記出力手段が出力する出力論理信号をノイズを除去するフィルタの設定の制御に用いることを特徴とする請求項１６から２６の何れかに記載の通信端末の制御方法。
【請求項２８】
前記出力手段が出力する出力論理信号はシリアル信号であることを特徴とする請求項１６から２７の何れかに記載の通信端末の制御方法。
【請求項２９】
前記論理値を出力する複数の出力手段を備えることを特徴とする請求項１６から２８の何れかに記載の通信端末の制御方法。
【請求項３０】
通信端末は携帯電話端末であり、高周波集積回路内に構成されたことを特徴とする請求項１６から２９の何れかに記載の通信端末の制御方法。
【発明の詳細な説明】
【技術分野】
【０００１】
本発明は通信端末に関し、特に、通信端末の制御回路及び制御方法に関する。
【背景技術】
【０００２】
携帯電話機等の通信端末においては、高周波信号を処理するＲＦＩＣ（Radio Frequency Integrated Circuit：高周波集積回路）内の制御回路や、ベースバンド信号を処理するベースバンドＩＣ内の制御回路等が、端末の状態等に応じて高周波回路やベースバンド回路等の被制御側（被制御回路）を制御するように構成される。
【０００３】
また、かかる被制御回路は、求められる特性に基づいて異なる仕様等の構成部品に置き換える等、必要により回路構成を変更することがあるが、この場合、被制御回路の構成変更に対応して制御回路の出力側に論理回路を接続して制御信号を変更する必要がある。
【０００４】
例えば特許文献１には、２周波数帯等の受信アンテナにおのおの２本実装したアンテナ部（４００）と、無線制御ＬＳＩ（２００）との間にアンテナ切り替えＬＳＩ（３００）を備え、手持ち等の影響に対し本来のアンテナ特性を発揮するように、無線制御ＬＳＩ（２００）内部の周波数帯指定部（２３０）等からの指定信号（ａ、ｂ）によりアンテナ切り替えＬＳＩ（３００）を制御し、４本のアンテナを切り替える移動通信端末に関し、一方の周波数帯用のアンテナを１本とするようなアンテナ本数の削減を行った場合、アンテナ本数の変更によりアンテナの切り替え制御の変更が生じるから、無線制御ＬＳＩ（２００）の周波数帯指定部（２３０）とアンテナ切り替えＬＳＩ（３００）との間に、ＡＮＤ又はＯＲ等で構成する論理ゲート（５００）を外部接続してアンテナ切り替え論理を変更することが記載されている。
【特許文献１】特開２００７−１５８５３０号公報（図６、段落0011〜0014、0076〜0070）
【発明の開示】
【発明が解決しようとする課題】
【０００５】
前述のように、通信端末においては、制御回路により制御する高周波回路やベースバンド回路等の被制御回路の構成を変更した場合、制御回路は通信端末の状態等に応じて予め設定された論理信号を制御信号として出力するように構成されているため、被制御回路の構成変更に応じて適切な論理信号を出力するには、制御回路と被制御回路の間に、制御回路の出力を異なる制御信号に変換する汎用論理ＩＣ等の外付けの論理回路を適宜追加する必要があった。
【０００６】
しかし、制御回路の出力側に汎用論理ＩＣ等の外付けの論理回路を更に設けるとコストが増加するのみならず、実装面積が増加するため通信端末の小型化の障害となる。
【０００７】
（目的）
本発明の目的は、外付けの論理回路を不要とし、端末の小型化を可能とする通信端末の制御回路及び制御方法を提供することにある。
【課題を解決するための手段】
【０００８】
本発明の第１の通信端末の制御回路は、複数の通信システムに対応し、且つ複数の周波数帯域に適応する通信端末の制御回路であって、少なくとも、通信システムを示す論理信号の入力手段と、使用周波数帯域を示す論理信号の入力手段と、通信端末の操作状態を示す論理信号の入力手段と、前記通信システムを示す論理信号、前記使用周波数帯域を示す論理信号及び前記通信端末の操作状態を示す論理信号を考慮して記憶された論理値を出力する出力手段とを備える論理的記憶手段を有することを特徴とする。
【０００９】
本発明の第１の通信端末の制御方法は、複数の通信システムに対応し、且つ複数の周波数帯域に適応する通信端末の制御方法であって、少なくとも、通信システムを示す論理信号と、使用周波数帯域を示す論理信号と、通信端末の操作状態を示す論理信号と、を入力し、前記通信システムを示す論理信号、前記使用周波数帯域を示す論理信号及び前記通信端末の操作状態を示す論理信号を考慮した論理値が記憶された論理的記憶手段を参照して、前記論理値を制御信号として出力することを特徴とする。
【発明の効果】
【００１０】
本発明によれば、制御回路の出力側に汎用論理ＩＣ等の外付けの論理回路を接続する必要がなく、複雑な論理出力でも簡易に生成して出力することが可能である。また、外部回路を必要としないために、コスト、実装面積とも抑えることが可能である。
【発明を実施するための最良の形態】
【００１１】
（第１の実施形態）
本発明の通信端末の制御回路及び制御方法の第１の実施形態を以下説明する。
【００１２】
図１は本発明の第１の実施形態の構成を示す図であり、（ａ）は通信端末の制御回路、（ｂ）は通信端末の制御方法である。
【００１３】
図１（ａ）に示すように、本実施形態の制御回路は、複数の入力手段１−２乃至入力手段１−４と、出力手段１−５とを備える論理的記憶手段１−１により構成される。たとえば、特に３つの入力手段と１つの出力手段を有する制御回路とする。
【００１４】
論理的記憶手段１−１は複数の入力手段、第１の入力手段１−２乃至第３の入力手段１−４から入力する論理信号の組み合わせに応じた論理信号を出力するように、複数の入力手段１−２乃至入力手段１−４の信号を考慮した記憶情報が格納される。
【００１５】
論理的記憶手段１−１は、複数の入力手段１−２乃至入力手段１−４として、少なくとも適応している通信システムを示す論理信号を入力する第１の入力手段１−２と、使用周波数帯域を示す論理信号を入力する第２の入力手段１−３と、通信端末の機構的な操作状態を示す論理信号を入力する第３の入力手段１−４と、を備え、前記通信システムを示す論理信号、前記使用周波数帯域を示す論理信号及び前記通信端末の操作状態を示す論理信号を考慮して記憶された論理信号を出力する出力手段１−５を備える。
【００１６】
論理的記憶手段１−１は、論理回路の組み合わせとして構成することが可能であり、この場合、特定の論理回路の組み合わせ（接続構成）を予め格納した前記記憶情報とすることができる。この構成では前記複数の入力手段１−２乃至入力手段１−４は、その論理信号を前記特定の論理回路の組み合わせに入力し、前記出力手段１−５は、前記論理回路が出力する論理信号を制御信号として出力する。
【００１７】
また、論理的記憶手段１−１は、記憶データとして論理値を記憶したメモリ等の記憶回路として構成することが可能であり、この場合、前記論理値を予め格納した前記記憶情報とすることができる。この構成では前記複数の入力手段１−２乃至入力手段１−４の論理信号は前記記憶回路の特定の論理値を指定し、前記出力手段１−５は、指定された論理値に基づく論理信号を制御信号として出力する。
【００１８】
なお、論理的記憶手段１−１の何れの記憶情報も外部から変更可能に構成することができる。つまり、前記記憶情報が論理回路の組み合わせの場合は、その接続構成を外部から変更可能とし、前記記憶情報が論理値の場合は格納される論理値は外部から書き換え可能に構成することができる。
【００１９】
図１（ｂ）に示すように、本実施形態の制御方法は、複数の通信システムに対応し、且つ複数の周波数帯域に適応する通信端末の被制御回路を制御する制御回路として、前記論理的記憶手段１−１を参照することにより制御信号を出力する。つまり、通信端末の通信システムを示す論理信号を第１の入力手段１−２に入力し（ｓ１−１）、使用周波数帯域を示す論理信号を第２の入力手段１−３に入力し（ｓ１−２）、通信端末の操作状態を示す論理信号を第３の入力手段１−４に入力し（ｓ１−３）、前記通信システムを示す論理信号、前記使用周波数帯域を示す論理信号及び前記通信端末の操作状態を示す論理信号を考慮した論理値が記憶された論理的記憶手段１−１を参照して（ｓ１−４）、前記論理値を制御信号として出力する（ｓ１−５）。なお、各論理信号は任意の順序で入力することができる。
【００２０】
（第２の実施形態）
本発明の第２の実施形態として、論理的記憶手段２−１を記憶回路とした携帯電話機等の携帯電話端末における制御回路の構成例を説明する。
【００２１】
図２は本発明の第２の実施形態の構成を示す図である。論理的記憶手段２−１は、図１と同様に適応している通信システムを示す論理信号を入力する第１の入力手段２−２と、使用周波数帯域を示す論理信号を入力する第２の入力手段２−３と、携帯電話端末の操作状態を示す論理信号を入力する第３の入力手段２−４とを備える。
【００２２】
また、論理的記憶手段２−１は、該論理的記憶手段２−１に格納された論理値２−７を出力する出力手段として、２つの出力手段、すなわち第１の出力手段２−８と、第２の出力手段２−９とを備え、前記通信システムを示す論理信号、前記使用周波数帯域を示す論理信号及び前記携帯電話端末の操作状態を示す論理信号を考慮して記憶された論理値に基づく論理出力１及び論理出力２を出力する。
【００２３】
論理的記憶手段２−１はより具体的には、第１の入力手段２−２乃至第３の入力手段２−４の論理信号がそれぞれ２値（１ビット）信号とした場合、記憶される論理値は３ビットのアドレス（入力論理値）２−６と２ビットの出力論理値２−７とが対応する形で記憶されたレジスタテーブル２−５により構成される。
【００２４】
つまり、論理的記憶手段２−１は、３つの論理信号の組み合わせである３ビットの論理信号を第１の入力手段２−２乃至第３の入力手段２−４から入力し、該３ビットの論理信号に一致するアドレス（入力論理値）２−６を特定し、当該アドレス２−６に対応する２ビットの出力論理値２−７をそれぞれ１ビットずつ論理出力１及び論理出力２として第１の出力手段２−８及び第２の出力手段２−９から読み出す構成とする。
【００２５】
第１の入力手段２−２には通信システムとして例えばＷＣＤＭＡ（Wideband Code Divis
ion Multiple Access）又はＧＳＭ（Global System for Mobile Communications）を特定する論理信号が入力可能であり、第２の入力手段２−３には使用周波数に関して例えば８００ＭＨｚ帯又は２ＧＨｚ帯を特定する論理信号が入力可能であり、第３の入力手段２−４には例えば折畳み型携帯電話端末の筺体の開状態又は閉状態を特定する論理信号が入力可能である。
【００２６】
例えば、第１の入力手段２−２、第２の入力手段２−３及び第３の入力手段２−４の入力信号が、それぞれＷＣＤＭＡの論理入力「０」、２ＧＨｚの論理入力「１」、携帯電話端末の開状態の論理入力「０」の場合、論理的記憶手段２−１は「０１０」をアドレスとして入力し、該アドレスに対応して記憶されている出力論理値「１０」に基づいて、第１の出力手段２−８から論理出力１として「１」、第２の出力手段２−９から論理出力２として「０」を出力する。
【００２７】
図２に示すレジスタテーブル２−５の記憶データは、３ビットの論理信号（入力論理値）の全ての組み合わせの８（＝２３）に対し、２ビットの出力論理値を出力可能に設定した例であり、２ビットの出力論理値は４（＝２２）通りであるから、ＷＣＤＭＡとＧＳＭの入力信号別に他の入力信号に応じて同じ４通りの論理値を予め記憶して構成されている。
【００２８】
つまりレジスタテーブル２−５の１〜４行はＷＣＤＭＡ、５〜８行はＧＳＭ、ＷＣＤＭＡの１、２行は８００ＭＨｚ帯、３、４行は２ＧＨｚ帯、ＷＣＤＭＡ且つ８００ＭＨｚ帯の１行は筺体が開状態、２行は同閉状態等のように記憶データが記憶されている。
【００２９】
図３は第２の実施形態の動作を示すフローチャートである。第１の入力手段２−２に通信システムを示す論理信号が入力されると（ｓ２−１）、該論理信号がレジスタテーブル２−５の入力論理テーブルのＷＣＤＭＡの論理「０」かＧＳＭの論理「１」かを判断する（ｓ２−２）。次に第２の入力手段２−３に使用周波数帯域を示す論理信号が入力されると（ｓ２−３）、該論理信号がレジスタテーブル２−５の入力論理テーブルの使用周波数帯域８００ＭＨｚ帯の論理「０」か２ＧＨｚ帯の論理「１」かを判断する（ｓ２−４）。更に第３の入力手段２−４に携帯電話端末の操作状態を示す論理信号が入力されると（ｓ２−５）、該論理信号がレジスタテーブル２−５の入力論理テーブルの折り畳みの開状態の論理「０」か閉状態の論理「１」かを判断し（ｓ２−６）、それぞれの組み合わせのアドレスの選択を行う（ｓ２−７）。このようにして、論理的記憶手段２−１はそれぞれに応じた出力論理値の格納データ「００」「０１」…「１１」の論理出力を制御信号として出力する（ｓ２−８）。
【００３０】
以上説明した図２に示す論理値の記憶データは一例である。論理的記憶手段２−１や携帯電話端末の製造時又は使用時等に、外部からの書き込み又は消去により論理値は適宜設定可能である。
【００３１】
次に図２に示す第２の実施形態の論理的記憶手段２−１が通信端末の被制御回路を制御する制御回路として、ＲＦ信号を入出力するＲＦＩＣ（Radio Frequency Integrated Circuit：高周波集積回路）の内部に構成され、また、前記被制御回路はアンテナ切り替えスイッチ（アンテナスイッチ）及び整合切り替え回路（整合切替回路）である場合の構成例について説明する。
【００３２】
本被制御回路には、例えば仕様の異なる既存の製品等が適宜選択的に使用され、論理的記憶手段２−１はその都度異なる制御信号を出力する必要が生じる例である。以下、説明の便宜上、通信システムはＷＣＤＭＡとして説明する。
【００３３】
図４、図５は本実施形態の異なる仕様の被制御回路を備える構成例を示す図である。論理的記憶手段２−１を備えるＲＦＩＣ２−１４と、アンテナスイッチ２−１０（又は２−１２）及び整合切替回路２−１１（又は２−１３）を備える被制御回路２−１５（又は２−１６）と、アンテナスイッチ２−１０（又は２−１２）とＲＦＩＣ２−１４の間の送受信用の複数のＲＦ経路と、により構成される。
【００３４】
図４に示す被制御回路２−１５の仕様では、被制御回路２−１５のアンテナスイッチ２−１０及び整合切替回路２−１１の制御信号としてそれぞれ独立した１ビットの２論理信号を入力する必要がある。
【００３５】
この被制御回路２−１５はアンテナスイッチ２−１０と整合切替回路２−１１の４通りの組み合わせがあり、論理的記憶手段２−１は、アンテナスイッチ２−１０及び整合切替回路２−１１の切り替えにより、例えば、携帯電話端末が手持ち状態か否か等に応じた電波環境の変化に対する高精度調整の制御が可能である。
【００３６】
一般に携帯電話端末の折り畳み筺体の開状態やスライド筺体の開状態ではユーザーは携帯電話端末の手持ち状態にあるから、前記携帯電話端末の操作状態とアンテナのインピーダンス等との間には相関があり、制御回路としての論理的記憶手段によりその操作状態の論理入力に応じてアンテナスイッチや整合切替回路等の被制御回路を適切の制御できる。
【００３７】
図５に示す被制御回路２−１６の仕様では、アンテナスイッチ２−１２及び整合切替回路２−１３の制御信号として共通の１ビットの１論理信号を入力する必要がある。例えばアンテナスイッチ２−１２及び整合切替回路２−１３は１ビット論理信号により動作するＳＰＤＴ（Single Pole Double Throw）等のスイッチで構成される。
【００３８】
この被制御回路２−１６はアンテナスイッチ２−１２と整合切替回路２−１３の２通りの組み合わせがあり、論理的記憶手段２−１は、例えば図４に示す被制御回路２−１５に比べて中精度調整を可能とし、一方、携帯電話端末の構成はより簡略化が可能である。
【００３９】
図６、図７は論理的記憶手段２−１から異なる仕様の被制御回路２−１５又は２−１６へ出力する制御信号を示す図である。第２の実施形態（図２）ではＷＣＤＭＡの入力信号に他の入力信号に応じて４通りの論理値が予め記憶されていることから、図４に示す被制御回路２−１５を実装した場合は、図６に示すように論理的記憶手段２−１は出力論理値の１ビット目の論理出力１及び同２ビット目の論理出力２を別々に出力することにより、前記４通りの切替制御を可能とする。また、図５に示す被制御回路２−１６を実装した場合は、図７に示すように論理的記憶手段２−１の出力論理の１ビット目の論理出力１のみを出力することにより、前記２通りの切替制御を可能とする。
【００４０】
（第３の実施形態）
以上の実施形態では論理的記憶手段２−１の記憶回路が３ビットの論理入力に対し、２論理信号を出力する構成で説明したが、記憶回路を構成するレジスタテーブルは、メモリ等の記憶領域を確保することにより任意に構成できることから、被制御回路の制御信号に対する要請に応じて、任意の論理入力数と論理出力数を実現可能であり、より複雑な被制御回路の制御にも記憶データを適宜変更することで対応できる。
【００４１】
図８は本発明の第３の実施形態の構成を示す図である。本実施形態ではアンテナスイッチ３−１０はアンテナの切り替え接続経路がＲＦ経路１〜８の８経路を備え、整合切替回路３−１１の切替えは整合回路Ｚ１〜Ｚ４の４回路を備える。この被制御回路側の構成により、ＲＦＩＣ３−１４内の論理的記憶手段３−１は制御信号として、ＲＦ経路１〜８の切り替え用の制御信号ａ〜ｃと、整合回路Ｚ１〜Ｚ４の切り替え用の制御信号ｄ、ｅの合計５つの論理出力を出力する必要がある。
【００４２】
使用周波数帯はほぼ同じであっても、送受信特性は若干異なるため、各々の通信システムの各々の周波数帯で、最適なアンテナの接続径路を選択する必要がある場合や最適なアンテナのインピーダンスへの整合が必要となる場合等の一構成例である。
【００４３】
図９は第３の実施形態の論理的記憶手段３−１のレジスタテーブル３−５の記憶データを示す図である。図８に示すアンテナスイッチ３−１０及び整合切替回路３−１１の切り替えに必要な論理出力に対応して、レジスタテーブル３−５には３ビットの入力信号に対するアドレス（入力論理値）３−６と、該アドレスデータに対応して５つの論理出力ａ〜ｅを出力する出力論理値３−７が記憶される。
【００４４】
本実施形態の構成によりアンテナ経路１〜８に応じた整合回路Ｚ１〜Ｚ４の選択的な組み合わせにより、通信システム、使用周波数帯及び筺体の開閉等の操作状態に応じて、アンテナによる送信電力及び受信状態の最適化を実現することが可能となる。
【００４５】
（第４の実施形態）
以上の実施形態では論理入力、論理出力、レジスタテーブルのアドレス及び出力論理値がそれぞれ２値（１ビット）信号の例を示したが、これらは２値（１ビット）信号に限られるものではない。
【００４６】
つまり、論理入力の１部又は全部を複数ビットの信号とすることができ、レジスタテーブルのアドレスの記憶データも同様である。また、レジスタテーブルの出力論理値の記憶データも同様に１部又は全部を複数ビットのデータとすることができる。
【００４７】
図１０は本発明の第４の実施形態の構成を示す図である。図１０（ａ）は任意の論理入力数（ｋ）、論理出力数（ｎ）でなり、レジスタテーブル３−１３のアドレス３−１４（Ａ１、Ａ２、…）及び出力論理値３−１５（Ｄ１、Ｄ２、…）が任意のビット数でなる記憶的論理手段３−１の構成例である。論理入力１〜ｋには、少なくとも通信システムを示す論理信号、使用周波数帯域を示す論理信号及び通信端末の操作状態を示す論理信号が入力される。
【００４８】
論理入力１〜ｋを複数ビットとすることにより、例えば通信システムを示す論理入力にはＷＣＤＭＡ（Wideband Code Division Multiple Access）とＧＳＭ（Global System for Mobile Communications）の２種類に加えて、ＣＤＭＡ（Code Division Multiple Access）２０００、ＬＴＥ（Long Term Evolution）等の３種類以上を含めることができる。
【００４９】
携帯端末の操作状態を示す論理入力にも、ヒンジ結合した筺体の折畳みの開閉のほかに、スライド機構を有する筺体のスライド状態、筺体の開閉と回転の２軸構造、横開き開閉構造等の操作状態、デジタルテレビジョン（ＤＴＶ：Digital Television）の視聴の有無、ＷＬＡＮ（Wireless LAN）、Ｂｌｕｅｔｏｏｔｈ等の無線通信の実施／非実施等の操作状態等の３種類以上を含めることができる。
【００５０】
アンテナのインピーダンス等は、ユーザーの端末の持ち方、使用状態、他の無線通信の実施／非実施等の操作状態と相関がある。特に、携帯電話端末の折り畳み筺体の開状態やスライド筺体の開状態と同様に、ＴＶ視聴の操作状態ではユーザーは携帯電話端末を手持ち状態にあるから、その操作状態の論理入力に応じて前記論理的記憶手段によりアンテナや整合切替回路等の被制御回路を適切に制御できる。
【００５１】
使用周波数帯域を示す論理入力も、３ＧＰＰが示すＢａｎｄI〜XIV（１〜１４）の周波数帯等を対象とすることが可能であり、３以上の周波数帯域を含めることができる。
【００５２】
レジスタテーブル３−１３は記憶データを論理入力及び／又は論理出力の信号形式に応じて固定的に記憶して構成できるほか、書き替え入力ｃにより外部から書き替え可能に構成することができる。
【００５３】
図１０（ｂ）は、論理的記憶手段３−１の論理出力の出力形式をシリアル化する構成例を示している。被制御側の制御信号の入力端子を少ない端子数で制御するため、シリアル信号（スイッチ等のシリアル制御仕様の信号）で入力する必要がある場合に、論理的記憶手段３−１の内部にパラレル／シリアル変換回路３−２０（Ｓ／Ｐ変換回路）等を設け、該当する一部ないし全部の論理出力ｉについて、パラレルの出力論理値をシリアル化して出力する。書き替え入力ｃによるレジスタテーブル３−１７のアドレス３−１８及び出力論理値３−１９の記憶データの書き替えと同様に、書き替え入力ｃによりシリアル出力を変更可能に構成することができる。
【００５４】
（第５の実施形態）
本発明の記憶的論理手段のレジスタテーブルを単一のテーブル構成とした例を示したが、複数のテーブル等の組み合わせ構成とすることが可能である。
【００５５】
図１１は本発明の第５の実施形態の構成を示す図である。論理的記憶手段４−１のレジスタテーブルを前段と後段に分割し、前段を論理発生テーブル（論理発生回路）４−５として特定メーカーの仕様の典型的な論理出力を生成する構成とし、後段を論理変換テーブル４−６として前記論理出力を変換し他の仕様の論理出力を生成する構成したものである。本実施形態では後段の論理変換テーブル４−６のみを書換え可能に構成することができる。
【００５６】
例えば、前段を特定メーカーの仕様に則り、同仕様の被制御側のカスタム品に適合する４ビット論理出力Ａ、Ｂ、Ｃ、Ｄを出力する論理発生テーブル４−５として構成し、後段を論理変換テーブル４−６として前記論理出力Ａ、Ｂ、Ｃ、Ｄを同仕様と異なる既存品でなる被制御側の論理出力ａ、ｂ、ｃ及び論理出力ｅ、ｄ等に変換する構成とする。
【００５７】
これによりカスタム品の論理は勿論のこと、既存品の論理にも合わせることが可能であり、同一特性でない全ての経路に対し、それぞれの使用周波数帯の送信、受信用に最適化された経路にアンテナスイッチを切り替え、更に整合回路を切り替えることが可能となる。
【００５８】
図１２は第５の実施形態の各論理出力の関係を示す図である。論理発生テーブル４−５は、図１２（ａ）に示すように特定メーカーの仕様に従ったＲＦ経路１〜４に関連する２ビット論理出力Ａ、ＢとＲＦ経路５〜８に関連する２ビット論理出力Ｃ、Ｄからなる４ビット論理出力Ａ、Ｂ、Ｃ、Ｄを出力する。また、論理変換テーブル４−６は、４ビット論理出力Ａ、Ｂ、Ｃ、Ｄを論理変換して図１２（ｂ）、（ｃ）に示すように、前記特定メーカーの仕様と異なるＲＦ経路１〜８に関連する３ビットの論理信号ａ、ｂ、ｃと、整合回路Ｚ１〜Ｚ４に関連する２ビットの論理信号ｄ、ｅを出力する。
【００５９】
論理的記憶手段４−１からは論理信号ａ、ｂ、ｃ、論理信号ｄ、ｅに加えて論理出力Ａ、Ｂ、Ｃ、Ｄをも出力可能に構成することがきる。論理出力Ａ、Ｂ、Ｃ、Ｄの出力は、論理発生テーブル４−５から出力することも、論理変換テーブル（レジスタテーブル）の書き替えにより論理変換テーブル４−６から出力するように構成することもできる。
【００６０】
なお、論理出力Ａ、Ｂ、Ｃ、Ｄは、例えば、論理出力Ａ、ＢをＷＣＤＭＡシステムの２ビット、論理出力Ｃ、ＤをＧＳＭシステムの２ビットとした４ビットの制御信号とし、ＲＦ経路の８個の送受信の周波数帯をカバーする制御信号とすることができる。
【００６１】
（第６の実施形態）
以上、被制御回路としてアンテナスイッチ及び整合切替回路の例を説明したが、本発明はアンテナスイッチ及び整合切替回路以外の任意の被制御回路の制御に適用可能である。
【００６２】
図１３は本発明の第６の実施形態の構成を示す図である。隣接して配置された使用周波数帯が接近した無線システム５−８が存在する場合、携帯電話端末のアンテナから出力する高出力の電波から前記無線システム５−８を保護するようにした制御例である。例えば携帯電話端末の無線システム５−８として、ＤＴＶ（Digital Television）、ＷＬＡＮ（Wireless LAN）、Ｂｌｕｅｔｏｏｔｈ等も対象にすることができる。
【００６３】
搭載している他の無線システム５−８の送受信系統に高周波スイッチ等で構成した保護回路５−９を設けて、ＲＦＩＣ５−１４の論理的記憶手段５−１から保護回路５−９の動作のＯＮ／ＯＦＦ制御信号を出力する。本例では論理的記憶手段５−１の第１の入力手段５−２乃至第３の入力手段５−４は、論理入力をＣＰＵ（又はデジタルベースバンドＤＢＢ）５−７から供給され、論理発生テーブル５−５及び論理変換テーブル５−６を介してアンテナスイッチ５−１０及び整合切替回路５−１１を制御する論理出力に加え、保護回路５−９を制御するＯＮ／ＯＦＦ制御信号を出力する。このＯＮ／ＯＦＦ制御信号により、携帯電話端末のアンテナが輻射する無線信号が無線システム５−８に影響を与えないように、携帯電話端末のアンテナの高出力時とタイミングを合わせて保護回路５−９をＯＦＦに制御し、無線システム５−８を保護する。
【００６４】
（第７の実施形態）
図１４は本発明の第７の実施形態の構成を示す図である。本実施形態はアンテナ端にフィルタ６−１０を設置して、他のデジタルシステム等が発生するノイズを避けるため、ＲＦＩＣ６−１４の論理的記憶手段６−１からフィルタ６−１０によるノイズを除去するフィルタの設定を制御する制御信号を出力する例である。本例も論理的記憶手段６−１の第１の入力手段６−２乃至第３の入力手段６−４には、論理入力がＣＰＵ（又はデジタルベースバンド）６−７から供給され、論理発生テーブル６−５及び論理変換テーブル６−６を介してアンテナスイッチ６−８及び整合切替回路６−９を制御する論理出力に加え、フィルタ６−１０に対するノイズを除去するフィルタ機能のＯＮ／ＯＦＦ及び／又はノイズを抑制するための周波数設定、つまりノイズを除去するフィルタの設定を制御する制御信号を出力し、他のデジタルシステム等から入力するノイズを除去する。
【００６５】
（他の実施形態）
第６、７の実施形態では、論理的記憶手段を論理発生テーブルと論理変換テーブルで構成した例を示したが、第２〜４の実施形態と同様のレジスタテーブルで構成することが可能であることは言うまでもない。
【００６６】
また、論理的記憶手段を備える制御回路はＲＦＩＣに内蔵して構成する例を示したが、本発明の制御回路はＣＰＵ（又はデジタルベースバンド）等に内蔵するように構成することが可能である。
【００６７】
本発明の実施形態は、上述した実施形態に限定されるものではなく、本発明の要旨を逸脱しない範囲において種々の変更が可能である。
【図面の簡単な説明】
【００６８】
【図１】本発明の第１の実施形態の構成を示す図であり、（ａ）は通信端末の制御回路、（ｂ）は通信端末の制御方法である。
【図２】本発明の第２の実施形態の構成を示す図である。
【図３】第２の実施形態の動作を示すフローチャートである。
【図４】第２の実施形態の異なる仕様の被制御回路を備える例を示す図である。
【図５】第２の実施形態の更に異なる仕様の被制御回路を備える例を示す図である。
【図６】制御回路から異なる仕様の被制御回路へ出力する制御信号を示す図である。
【図７】制御回路から更に異なる仕様の被制御回路へ出力する制御信号を示す図である。
【図８】本発明の第３の実施形態の構成を示す図である。
【図９】第３の実施形態のレジスタテーブル３−５の記憶データを示す図である。
【図１０】本発明の第４の実施形態の構成を示す図である。
【図１１】本発明の第５の実施形態の構成を示す図である。
【図１２】第５の実施形態の各論理出力の関係を示す図である。
【図１３】本発明の第６の実施形態の構成を示す図である。
【図１４】本発明の第７の実施形態の構成を示す図である。
【符号の説明】
【００６９】
１−１〜６−１  論理的記憶手段
１−２〜６−２  第１の入力手段
１−３〜６−３  第２の入力手段
１−４〜６−４  第３の入力手段
１−５  論理出力手段
２−５、３−５  レジスタテーブル
２−６、３−６  アドレス（入力論理値）
２−７、３−７  出力論理値
２−８  第１の出力手段
２−９  第２の出力手段
２−１０、２−１２、３−１０、５−１０、６−８  アンテナスイッチ
２−１１、２−１３、３−１１、５−１１、６−９  整合切替スイッチ
２−１３  整合切替回路
２−１４、３−１４、５−１４、６−１４  ＲＦＩＣ
２−１５、２−１６  被制御回路
４−５、５−５、６−５  論理発生テーブル（論理発生回路）
４−６、５−６、６−６  論理変換テーブル
５−７、６−７  デジタルベースバンド回路（ＣＰＵ）
５−８  他の無線システム
５−９  保護回路
６−１０  フィルタ
【図１】
2010114859.tif 000003
【図２】
2010114859.tif 000004
【図３】
2010114859.tif 000005
【図４】
2010114859.tif 000006
【図５】
2010114859.tif 000007
【図６】
2010114859.tif 000008
【図７】
2010114859.tif 000009
【図８】
2010114859.tif 000010
【図９】
2010114859.tif 000011
【図１０】
2010114859.tif 000012
【図１１】
2010114859.tif 000013
【図１２】
2010114859.tif 000014
【図１３】
2010114859.tif 000015
【図１４】
2010114859.tif 000016